(57)【要約】【課題】制御回路を冷却するための冷却ファンダクトに、風量を制御するためのスライド窓を設け、本体内部に設置した温度センサーの温度差に応じてスライド窓は開閉調節を行い、高温状態である部分を集中的に冷却することで内部高温状態による熱破壊を未然に防ぐこと。【解決手段】本体９内部へ冷却風７を循環させるためのダクト１０を設け、ダクト１０は出口を２つ有し、ダクト出口の一方には風量を制御するためのスライド窓８を設け、本体９内部に設置した温度センサー３および４の温度入力によってスライド窓８の開閉調節を行い、風量、風圧を制御することで、本体９内部の特に高温状態である部分を集中的に冷却することができる。【選択図】図１
2005149740.tif 000002
【特許請求の範囲】
【請求項１】
本体内部に加熱コイルと前記加熱コイルに高周波電流を供給する制御回路と前記制御回路を冷却するための冷却ファンとを備え、前記冷却ファンには、前記本体内部へ冷却風を循環させるためのダクトを設け、前記ダクトには出口を２つ有し、一方には風量を制御するためのスライド窓を設け、前記スライド窓は、前記本体内部に設置した温度センサーの検出温度によってスライド窓の開閉調節を可能とした誘導加熱調理器。
【請求項２】
スライド窓の開閉調節は、クランク機構により行う請求項１に記載の誘導加熱調理器。
【請求項３】
スライド窓は、本体内部の左右加熱コイルに設置した２つの温度センサーの左右温度差に応じてスライド開閉調節を行う請求項１または２に記載の誘導加熱調理器。
【請求項４】
スライド窓は、本体内部の加熱コイルおよび壁面等に設置した複数の温度センサーの温度状態に応じてスライド開閉調節を行う請求項１または２に記載の誘導加熱調理器。
【請求項５】
ステッピングモータを動力源とし、スライド窓の開閉調節を行う請求項１〜４のいずれか１項に記載の誘導加熱調理器。
【請求項６】
ダクト出口は、冷却風の風量制御を行うための異種材料Ａおよび異種材料Ｂで組み合わせてなる開閉パーツを設置して開閉調節を行う請求項１に記載の誘導加熱調理器。
【請求項７】
ダクト出口は、冷却風の風量制御を行うための形状記憶型の樹脂を用いた開閉パーツを設置して開閉調節を行う請求項１に記載の誘導加熱調理器。
【請求項８】
形状記憶型の樹脂は、バイメタル構成とした請求項７に記載の誘導加熱調理器。
【請求項９】
ダクト出口を複数設けた請求項１〜８のいずれか１項に記載の誘導加熱調理器。
【発明の詳細な説明】
【技術分野】
【０００１】
本発明は、特にインバータ等の高周波電源を有した一般家庭用の誘導加熱調理器に関するものである。
【背景技術】
【０００２】
従来の誘導加熱調理器の構成を、図７に示す。
【０００３】
図７において、誘導加熱調理器の本体３０内に、加熱コイル３１と加熱コイル３２に高周波電流を供給する制御回路３４と制御回路３４を冷却するための冷却ファン３３を備え、冷却ファン３３から一定風量、風圧の冷却風３５を本体３０内部に循環させることで冷却を行う構成とする。
【０００４】
上記従来の誘導加熱調理器内部の冷却作用について説明する。
【０００５】
冷却ファン３３が一定速度で回転し、本体３０内部に冷却風３５を送風させる際、冷却風３５は一定（ただし、回転速度は必要に応じて変えられるものとする）の経路を通過しながら構成機器全体を均一に冷却し、本体内部が高温状態にならないようにする構成である（例えば、特許文献１参照）。
【特許文献１】特開２００３−７７６３７号公報
【発明の開示】
【発明が解決しようとする課題】
【０００６】
しかしながら、前記従来の構成では、筐体内部の冷却ファンから得られる風量風圧は常に一定であることから、筺体内部における冷却風の循環量は構成部品に対して一定となるため、特に温度の高くなる特定の構成部品に対して便宜的に冷却風を集中して当てることが困難な構成となっていた。
【０００７】
本発明は、上記従来の課題を解決するもので、冷却ファンから吐出される一定の風量を、ダクト出口に設けたスライド窓によって内部の温度状態に応じて制御し、特に温度の高くなる特定の構成部品には集中的に冷却風を当てることで、筺体の内部冷却（特に制御回路）を効率的に行うことを目的とする。
【課題を解決するための手段】
【０００８】
前記従来の課題を解決するために、冷却ファンには、前記本体内部へ冷却風を循環させるためのダクトを設け、前記ダクト出口の一方には風量を制御するためのスライド窓を設け、前記本体内部に設置した温度センサーの温度入力によって、前記スライド窓の開閉調節を行うことで風量、風圧を制御し、内部の冷却を行うものである。
【０００９】
この構成では、本体内部に循環する冷却風の循環ムラによる特定部分への冷却風の供給不足を解消し、本体内部が高温状態の際には、特にインバータ等の高周波電源を有する制御回路を効率的に冷却し、制御回路の熱破壊を未然に防ぐことができる。
【発明の効果】
【００１０】
本発明の誘導加熱調理器は、本体内部の高温状態である部分（特に制御回路）を集中的に冷却し、内部高温状態による熱破壊を未然に防ぐことができる。
【発明を実施するための最良の形態】
【００１１】
第１の発明は、本体内部に加熱コイルと前記加熱コイルに高周波電流を供給する制御回路と前記制御回路を冷却するための冷却ファンとを備え、前記冷却ファンには、前記本体内部へ冷却風を循環させるためのダクトを設け、前記ダクトには出口を２つ有し、一方には風量を制御するためのスライド窓を設け、前記スライド窓は、前記本体内部に設置した温度センサーの検出温度によってスライド窓の開閉調節を可能とし、本体内部に設置した温度センサーの温度入力によってスライド窓の開閉あるいは開閉度合いの調節（開閉調節）を行い、風量、風圧を制御することで、本体内部の特に高温状態である部分を集中的に冷却することができる。
【００１２】
第２の発明は、特に、第１の発明の構成において、スライド窓の開閉調節をクランク機構により行う構成とすることで、スライド窓への駆動源からの動力伝達、特にモータからの回転運動をスムーズに直線運動に変換できるため、的確な開閉を行うことができる。
【００１３】
第３の発明は、特に、第１または第２の発明の構成において、スライド窓は、本体内部の左右加熱コイルに設置した２つの温度センサーの左右温度差に応じてスライド開閉調節を行う構成とすることで、風量の変化を本体内部で左右方向に適切に振り分けられ、特に温度の高い方に集中的に風量を多く送ることができる。
【００１４】
第４の発明は、特に、第１または第２の発明の構成において、スライド窓は、本体内部の加熱コイルおよび壁面等に設置した複数の温度センサーの温度状態に応じてスライド開閉調節を行う構成とすることで、本体内部に循環する冷却風の温度ムラを細かく検知することができ、より適切な条件でスライド窓の開閉調節を行うことができる。
【００１５】
第５の発明は、特に、第１〜４のいずれか１つの発明の構成において、スライド窓の動力源にステッピングモータを用いることで、温度センサーへの温度入力によって得られる情報に応じて、スライド窓の開閉動作を細かく取ることができるため、風量、風圧の微調整ができる。
【００１６】
第６の発明は、特に、第１の発明の構成において、ダクト出口で冷却風の風量制御を行わせるため、異種材料Ａおよび異種材料Ｂを組み合わせてなる開閉パーツを設置し、組み合わせた異種材料の熱膨張率の差で開閉パーツに対して開閉動作を行わせることで風量調節を行う構成とすることで、動力源のモータを省略することができる。
【００１７】
第７の発明は、特に、第１の発明の構成において、ダクト出口で冷却風の風量制御を行わせるために、形状記憶型の樹脂を用いた開閉パーツを設置して開閉調節を行う構成とすることで、単体材料のみを使用して開閉パーツを簡易構成とすることができるため、安価な構成となり、かつ動力源のモータも省略することができる。
【００１８】
第８の発明は、特に、第７の発明の構成において、形状記憶型の樹脂を用い、前記形状記憶型の樹脂はバイメタル構成とすることで、組み合わせにより熱変形量を便宜的に選定できるため、開閉パーツの開閉調節の微調整を行うことができる。
【００１９】
第９の発明は、特に、第１〜８のいずれか１つの発明の構成において、ダクト出口を複数設けた構成とすることで、必要に応じて特に冷却を要する部分に強めの風量を複数箇所設定して冷却風を送ることができる。
【００２０】
以下、本発明の実施の形態にについて、図面を参照しながら説明する。なお、この実施の形態によって本発明が限定されるものではない。
【００２１】
（実施の形態１）
本発明の実施の形態１について、図１と図２および図３により説明する。図１は本発明の第１の実施の形態における誘導加熱調理器の冷却構成略図を示すもので、図２はスライド窓の動作要部拡大図、図３はスライド窓にクランク機構を用いたときの動作図である（図中で同一構成のものは同一番号を付与する）。
【００２２】
図１において、本体９内部左右方向に加熱コイル１および２を備え、加熱コイル１、および２近辺にはそれぞれ温度センサー３および温度センサー４を設置する。また、加熱コイル２の下方には、加熱コイル１、および２に高周波電流を供給する制御回路５を備え、制御回路５の後方に設けた冷却ファン６から得られる冷却風７がダクト１０を通過し、出口を二つ有したダクト１０の出口一方側には冷却風７の風量を調整するためのスライド窓８を設け、本体９内部に冷却風７を行き渡らせる構成とする。
【００２３】
以上のように構成された誘導加熱調理器のスライド窓について、以下その動作、作用を説明する。
【００２４】
図２に示すように、ダクト１０一方の出口に設けたスライド窓８は、小型モータ１３からシャフト１４によって駆動力が伝達され、図中の固定部分１１と可動部分１２を設けることによって開閉動作を行う構成である。
【００２５】
以上の構成により、温度センサー３、および温度センサー４で検知されたそれぞれの入力温度から温度差をとり、差が大きいほどスライド窓８の開度を小さくすることで、ダクト１０内の風量、風圧を他方の出口に集約させ、本体９内部の特に高温状態である部分を集中的に冷却することができる。ここでは特に、加熱コイル２側、すなわち、制御回路５側の風量を上げることで、制御回路５に対する冷却効率をアップさせることができる。
【００２６】
また、図３に示すように、スライド窓１５の動作機構にクランク機構１６を用いることで、スライド窓１５の駆動源からの動力伝達、すなわち小型モータ１７からの回転運動をスムーズにかつ正確な直線運動に変換できるため、正確な開閉動作を行うことができる。
【００２７】
また、スライド窓の動力源にステッピングモータを用いる（図示せず）と、温度センサーの入力温度に対して、ステッピングモータの動作を細かく設定することができるので、スライド窓の開閉動作をより細かく取ることができるため、風量、風圧の微調整を可能とし、かつモータは可逆動作を行えるので、モータの動作範囲を必要最小限にすることができる。
【００２８】
また、温度センサーを加熱コイルだけでなく、本体内部壁面等に複数設置した際には、本体内部に循環する冷却風の温度ムラを細かく検知することができ、より高い精度で検知できるので、適切な条件でのスライド窓の開閉動作が可能となり、冷却風の風量制御を行うことができる。
【００２９】
また、冷却風の風量制御を行うためのダクト出口を複数設けた構成とすることで、必要に応じて特に冷却を要する部分に強めの風量を複数箇所設定（図示せず）して冷却風を送ることができる。
【００３０】
（実施の形態２）
以下、本発明の実施の形態２について、図４と図５および図６により説明する。図４は、本発明の第２の実施の形態における誘導加熱調理器の冷却風ダクト出口に設置した開閉パーツの構成図で、図５は開閉パーツの動作原理を示すもので、図６は開閉パーツの筐体に対する作用図である（図中で同一構成のものは同一番号を付与する）。
【００３１】
図４において、ダクト出口２０に設けた異種材料Ａ２１および異種材料Ｂ２２で組み合わせた開閉パーツ２３を備えた構成とする。なお、誘導加熱調理器の基本構成は実施の形態１と同様とし、実施の形態１に対して、開閉パーツ２３を開閉させるモータおよび温度センサーを除去した構成とする。
【００３２】
以上のように構成された誘導加熱調理器の開閉パーツ２３について、以下その動作、作用を説明する。
【００３３】
図５に示すように、開閉パーツ２３は温度によって、例えば異種材料Ｂ２２が収縮し、かつ異種材料Ａ２１は膨張するという相対する性質の組み合わせとするもので、本体内部で開閉パーツ２３が任意の高温にさらされた場合には、開閉パーツ２３はさらされる温度に応じて徐々に閉動作を行い、また所定の温度に戻るにつれ、開閉パーツ２３は任意の温度に応じて徐々に開動作を行うというものである。
【００３４】
以上の構成によると、図６に示すように例えば高温にさらされた場合、開閉パーツ２８は閉動作を行うため、冷却ファン２９からの一定量の冷却風２６はダクト２７内部で圧迫され、風量はダクト２７の出口２４および２５に対して任意に振り分けられ、本実施例の場合では出口２４の風量、風圧が高くなり、出口２４側の冷却効果が高められることになる。すなわち、本体内部の温度状態によって開閉パーツ２８の開閉動作が任意に可能となり、高温時特に冷却効果を高めたい部分に集中的に冷却風２６を当てることができる。また、開閉パーツ２８を駆動させるための小型モータおよび温度センサーを削減できるため、比較的安価な構成にすることができる。
【００３５】
また、開閉パーツに形状記憶型の樹脂材料を用いると、単体材料の使用のみで開閉動作を行うことができるので構成も簡易化でき、かつ安価となる。
【００３６】
また、形状記憶型の樹脂材料をバイメタル構成にして組み合わせると、組み合わせパターンにより熱変形量を便宜的に選定できるため、筐体内の温度特性に応じたパーツ選定を行うことができ、開閉パーツの開閉調整を任意に行うことができる。
【産業上の利用可能性】
【００３７】
以上のように、本発明にかかる誘導加熱調理器は、本体内部へ冷却風を循環させるためダクトを設け、ダクト出口の一方には風量を制御するためのスライド窓を設置し、また本体内部に設置した温度センサーの温度差に応じてスライド窓が開閉動作をすることで、開閉レベルの調節を行い、これにより風量、風圧を制御することで、本体内部の高温状態である部分を集中的に冷却し、内部高温による熱破壊を未然に防ぐことが可能となるので、特に冷却ファンを使用して制御回路を冷却する他の一般家庭用電化製品等の用途にも適用できる。
【図面の簡単な説明】
【００３８】
【図１】本発明の実施の形態１における誘導加熱調理器の冷却構成を示す図
【図２】本発明の実施の形態１における誘導加熱調理器のスライド窓の動作要部拡大図
【図３】本発明の実施の形態１における誘導加熱調理器のスライド窓のクランク機構動作図
【図４】本発明の実施の形態２における誘導加熱調理器の冷却構成を示す図
【図５】本発明の実施の形態２における誘導加熱調理器の開閉パーツの動作原理を示す図
【図６】本発明の実施の形態２における誘導加熱調理器の開閉パーツの作用を示す図
【図７】従来の誘導加熱調理器の冷却構成図
【符号の説明】
【００３９】
９  本体
１、２  加熱コイル
５  制御回路
６、２９  冷却ファン
３、４  温度センサー
１０、２７  ダクト
２０、２４、２５  ダクト出口
８、１５  スライド窓
１６  クランク機構
７、２６  冷却風
２１  異種材料Ａ
２２  異種材料Ｂ
２３、２８  開閉パーツ
【図１】
2005149740.tif 000003
【図２】
2005149740.tif 000004
【図３】
2005149740.tif 000005
【図４】
2005149740.tif 000006
【図５】
2005149740.tif 000007
【図６】
2005149740.tif 000008
【図７】
2005149740.tif 000009